(57)【要約】【課題】撮影時、外部装置にて、スムーズな動きの表示画像を確認可能でありながら、高精細な画像データを記憶する機能を有するカメラおよびカメラシステムを提供する。【解決手段】被写体を撮像し、電子画像を取得する撮像手段２２と、上記撮像手段２２から出力された信号を処理してデジタル画像データを生成する画像処理手段２３と、上記画像処理手段２３から出力された画像データに圧縮処理、若しくは間引き処理を行う縮小化手段２４と、上記画像データを外部装置に向けて送信する通信手段２５とを具備するカメラにおいて、上記縮小化手段２４は、撮像指示信号入力前の上記画像データの圧縮率を、前記撮影指示信号入力後よりも高く、若しくは間引き量を多くするようにしたことを特徴とする。【選択図】　図３
2004007273.tif 000002
【特許請求の範囲】
【請求項１】
撮影光学系を介して被写体を撮像し、被写体の電子画像を取得する撮像手段と、
上記撮像手段から出力された信号を処理してデジタル画像データを生成する画像処理手段と、
上記画像処理手段から出力された画像データの圧縮処理、若しくは間引き処理を行う縮小化手段と、
上記画像データを外部装置に向けて送信する通信手段と、
を具備するカメラにおいて、
上記縮小化手段は、撮像指示信号入力前の上記画像データの圧縮率を、前記撮影指示信号入力後よりも高く、若しくは間引き量を多くするようにしたことを特徴とするカメラ。
【請求項２】
カメラで撮像した画像データを外部装置に送信し、該外部装置で表示、および記憶するようにしたカメラシステムにおいて、
上記カメラは、表示用画像のデータ量を記憶用画像のデータ量に比べて少なくなるように処理してから送信することを特徴としたカメラシステム。
【請求項３】
上記カメラシステムは、カメラで撮像された画像データを表示する表示手段と、上記カメラで撮像された画像データを記憶する記憶手段と、上記カメラと相互通信が可能な通信手段とを具備する外部装置を有し、
上記記憶手段は、上記表示用画像データに比べ圧縮率の低い、若しくは間引き量の少ない画像データを上記通信手段により受信した場合のみ記憶することを特徴とする請求項２に記載のカメラシステム。
【請求項４】
上記外部装置は、上記カメラから送信された画像データを識別して上記画像データの表示動作と記憶動作のいずれか一方を実行することを特徴とする請求項２に記載のカメラシステム。
【請求項５】
上記外部装置は、上記カメラから送信された画像データの量に応じて、上記画像データの表示動作と記憶動作のいずれか一方を実行することを特徴とする請求項２に記載のカメラシステム。
【請求項６】
撮像指示信号の入力前は表示用画像データを外部装置に無線通信し、撮像指示信号の入力後は記憶用画像データを外部装置に無線通信するカメラにおいて、
撮像指示信号の入力前後で送信データのデータ量を異ならせたことを特徴とするカメラ。
【発明の詳細な説明】
【０００１】
【発明の属する技術分野】
本発明は、カメラおよびカメラシステム、詳しくは、外部装置を備え、カメラと外部装置の相互通信を可能にしたカメラおよびカメラシステムに関する。
【０００２】
【従来の技術】
撮影光学系によって結像した被写体像を、ＣＣＤ等の撮像素子を用いて光電変換し、変換後出力される画像データをデジタル信号に変換して各種処理を行った後、デジタル画像データとして記憶する、所謂デジタルカメラは周知である。
【０００３】
この種のデジタルカメラにおいては、撮像して得られた画像は、カメラ内に固定配置された、または着脱自在に装着されたメモリ素子に記憶することが一般的であるが、カメラ内に搭載することのできるメモリ容量には限りがあるため、撮影可能な枚数は、メモリ素子の容量によって制限されてしまうといった問題があった。
【０００４】
そこで、特開平１１−２８４８９４号公報においては、撮像した画像データを無線通信手段によって大容量の記憶媒体を有する外部装置へ転送するとともに、転送済みの画像データをカメラに内蔵されたメモリから消去することで、撮影時のメモリ容量不足を解消するようにした発明が提案されている。
【０００５】
また、カメラのシャッタ制御をリモコンからのレリーズ信号に応じて実行する技術は、従来公知であるが、このリモコンを用いて撮影を行うと、セルフタイマー撮影のように、撮影者は被写体の一部となっているため撮影者自身で構図を確認したり、シャッタタイミングを決定したりすることが出来ないという問題があった。
【０００６】
そこで、特開平５−７２６０８号公報においては、シャッタ動作に先立ってデジタルカメラで撮像した画像をリモコン装置に送信し、リモコン装置側の画像表示部にて被写体像を事前確認することが出来るようにした発明が提案されている。
【０００７】
したがって、上記特開平５−７２６０８号公報に提案にされているリモコン装置の技術に、上記特開平１１−２８４８９４号公報に提案されている画像記憶技術を組み合わせることにより、カメラの遠隔操作機能と、被写体像の事前確認機能と、撮影後の大容量の画像データ記憶機能とを併せ持った外部装置を実現することができる。
【０００８】
【発明が解決しようとする課題】
ところで、近年のデジタルカメラは高画質化が進み、一画像当りのデータ量が非常に多くなったため、撮像された画像データに対してＪＰＥＧ圧縮処理を実施し、記憶するデータ量を減らすことが一般的となっている。
【０００９】
しかしながら、圧縮した画像の画質とデータ量とは相反する関係にあり、圧縮率を高く設定すれば、データ量は減るが画質が劣化し、圧縮率を低く設定すれば、高精細な画像が得られるが、データ量は増加する。
【００１０】
よって、圧縮率を高く設定すれば、外部装置への通信時間は短かくなるが、画像記憶メモリには画像劣化の激しい画像しか記憶出来ず、一方、圧縮率を低く設定すれば、高精細な画像は記憶出来るが、外部装置への通信時間が長くなってしまう。
【００１１】
上記特開平５−７２６０８号公報、並びに上記特開平１１−２８４８９４号公報に提案されている発明においては、外部装置との通信方法については、上記問題点は考慮していないため、撮像した画像を外部装置に通信する際、膨大な時間がかかってしまい、撮影者にとっては、大変不便なものであり、また大事なシャッタチャンスを逃してしまう虞があった。
【００１２】
また、上記問題点に鑑みて特開平１１−１７４５７６号公報に開示された発明では、撮像された画像を外部通信装置に送信する際、２値化処理を行い、通信速度の向上を図ってはいるが、２値化処理された画像は、大変見づらいものであり、構図決定時の利便性を向上するには至っていない。
【００１３】
本発明の目的は上記問題点に鑑みてなされたものであり、撮影時、外部装置にてスムーズな動きの表示画像を確認可能であり、かつ、高精細な画像データを記憶する機能を有するカメラおよびカメラシステムを提供することにある。
【００１４】
【課題を解決するための手段、及び作用】
上記の目的を達成するために本発明のカメラは、撮影光学系を介して被写体を撮像し、被写体の電子画像を取得する撮像手段と、上記撮像手段から出力された信号を処理してデジタル画像データを生成する画像処理手段と、上記画像処理手段から出力された画像データの圧縮処理、若しくは間引き処理を行う縮小化手段と、上記画像データを外部装置に向けて送信する通信手段とを具備するカメラにおいて、上記縮小化手段は、撮像指示信号入力前の上記画像データの圧縮率を、前記撮影指示信号入力後よりも高く、若しくは間引き量を多くするようにしたことを特徴とする。
【００１５】
また、本発明によるカメラシステムは、カメラで撮像した画像データを外部装置に送信し、該外部装置で表示、および記憶するようにしたカメラシステムにおいて、上記カメラは、表示用画像のデータ量を記憶用画像のデータ量に比べて少なくなるように処理してから送信することを特徴とし、また、上記カメラシステムは、カメラで撮像された画像データを表示する表示手段と、上記カメラで撮像された画像データを記憶する記憶手段と、上記カメラと相互通信が可能な通信手段とを具備する外部装置を有し、上記記憶手段は、上記表示用画像データに比べ圧縮率の低い、若しくは間引き量の少ない画像データを上記通信手段により受信した場合のみ記憶することを特徴とし、また、上記外部装置は、上記カメラから送信された画像データを識別して上記画像データの表示動作と記憶動作のいずれか一方を実行することを特徴とし、更に、上記外部装置は、上記カメラから送信された画像データの量に応じて、上記画像データの表示動作と記憶動作のいずれか一方を実行することを特徴とする。
【００１６】
さらに、本発明によるカメラは、撮像指示信号の入力前は表示用画像データを外部装置に無線通信し、撮像指示信号の入力後は記憶用画像データを外部装置に無線通信するカメラにおいて、撮像指示信号の入力前後で送信データのデータ量を異ならせたことを特徴とする。
【００１７】
【発明の実施の形態】
以下、図面を参照して本発明の実施の形態を説明する。
図１は、本発明の一実施の形態を示すカメラを背面側の左斜め上方から見た斜視図であり、図２は、図１のカメラを有する本発明の一実施の形態を示すカメラシステムにおける外部装置の斜視図である。
【００１８】
図１、および図２に示すように、本発明のカメラシステムは、撮影光学系によって被写体をＣＣＤ等の撮像素子に結像して撮像するデジタルカメラ１（以下、カメラと称す）と、このカメラ１と相互通信を行い、情報の授受を行う外部装置１１で構成されている。
【００１９】
上記カメラ１は、被写体像を上記撮像素子の受光面上に結像するための撮影レンズ２と、撮像された画像を含む各種情報を無線通信するためのアンテナ３と、撮影動作を指示入力するためのレリーズ釦４と、光学ファインダ５とを有して構成されている。
【００２０】
上記外部装置１１は、電子画像やその他の各種の情報を表示するための液晶モニタ等でなる表示装置１２と、上記カメラ１と無線通信するためのアンテナ１４と、例えばフラッシュメモリ等からなるメモリカード１６と、このメモリカードを着脱自在に装着するためのカード挿入部１５と、この外部装置１１を操作し、表示指示を行うための釦を含む操作釦１７と、上記カメラ１にレリーズ動作を実行させるためのリモコン操作釦１８を有して構成されている。
【００２１】
ここで、上記カメラ１、及び外部装置１１で構成される本発明の一実施の形態を示すカメラおよびカメラシステムにおいては、その使用形態に以下の３種類の撮影方法が可能である。
【００２２】
（１）　光学ファインダ５を覗いた状態で被写体の構図を決定し、レリーズ釦４の押動操作により撮影を実行する通常撮影。
【００２３】
（２）　光学ファインダ５を覗くことなく、表示装置１２に表示されている被写体像を見ながらレリーズ釦４の押動操作により撮影を実行するノーファインダ撮影。
【００２４】
（３）　光学ファインダ５を覗くことなく、表示装置１２に表示されている被写体像を見ながらリモコン操作釦１８の押動操作によりカメラに撮影動作を実行させるリモコン撮影。
【００２５】
尚、上記３つの撮影方法は特別に設定されるものではなく、撮影者が上記レリーズ釦４の押動操作を直接行えば通常撮影が実行され、上記レリーズ釦４の代わりに上記リモコン釦１８の押動操作を行えばリモコン撮影が実行され、また、上記表示釦１７を操作して上記表示装置１２を表示状態に設定し、前記レリーズ釦４の押動操作を行えばノーファインダ撮影が実行されるものである。
【００２６】
次に、上記カメラ１の内部構成と動作について説明すると、図３は、本発明の一実施の形態を示すカメラの電気回路の構成を示すブロック図である。
【００２７】
図３に示すように、上記カメラ１は、操作手段２１と、撮像手段２２と、画像処理手段２３と、縮小化手段２４と、通信手段２５で構成されており、上記操作手段２１の出力端は、上記撮像手段２２の入力端、および上記縮小化手段２４の入力端にそれぞれ接続されており、前記撮像手段２２の出力端は、上記画像処理手段２３の入力端に接続されている。そして、この画像処理手段２３の出力端は、上記縮小化手段２４の入力端に接続されており、この縮小化手段２４の出力端は、上記通信手段２５の入力端に接続されている。さらに、前記通信手段２５の出力端は、後述する上記外部装置１１の通信手段３１（図４参照）と無線通信する上記アンテナ３と、前記撮像手段２２の入力端、並びに前記縮小化手段２４の入力端に接続されている。
【００２８】
上記操作手段２１は、撮影者が各種操作入力を手動により行うためのものであり、上記レリーズ釦４や上記カメラ１の外装面に配設された他の釦類（図示されず）で構成され、上記レリーズ釦４が押動操作された場合にはレリーズ信号を前記撮像手段２２に出力する。
【００２９】
上記撮像手段２２は、上記撮影レンズ２と図示しない撮像素子等で構成され、上記カメラ１の電源スイッチ（図示されず）がオンされると連続的に撮像動作を繰り返し実行するものであり、また、上記操作手段２１からのレリーズ信号により後述する記憶手段に被写体像を記憶するための撮像を行い、上記画像処理手段２３に出力するものである。
【００３０】
上記画像処理手段２３は、Ａ／Ｄ変換回路、デジタル信号処理回路等から構成れており、上記撮像手段２２からの出力信号を前記Ａ／Ｄ変換回路によりデジタルデータに変換し、このＡ／Ｄ変換回路によりデジタル化された画像データを前記デジタル信号処理回路で、明るさやカラーバランス調整等の所定の画像処理を行い、上記縮小化手段２４に出力するものである。
【００３１】
上記縮小化手段２４は、前記画像処理手段２３から出力された画像データを公知のＪＰＥＧ方式により圧縮する圧縮回路を有し、圧縮した出力を上記通信手段２５に出力するものである。
【００３２】
上記通信手段２５は、前記アンテナ３を構成要素とし、前記縮小化手段２４により圧縮された画像データを後述する上記外部装置１１へ向けて無線送信したり、上記外部装置１１からのリモコン信号を受信したりするものである。
【００３３】
ここで、上記縮小化手段２４は、上記レリーズ釦４の押動操作により出力された前記レリーズ信号、または、後述する上記外部装置１１からのリモコン信号に応じて画像データの圧縮率を変更する機能を有しており、具体的には、上記レリーズ釦４が押動操作されて上記操作手段２１からのレリーズ信号を受信するか、上記通信手段２５より前記外部装置１１からのリモコン信号を受信するまでは、上記画像処理手段２３から出力された画像データを高圧縮率設定（データ容量を少なくすることを重視した設定）にて圧縮処理し、一方、前記レリーズ信号、またはリモコン信号（撮像指示信号）の受信後は、上記画像処理手段２３から出力された画像データを低圧縮率設定（高精細画像を重視する設定）にて画像データを圧縮処理するようになっている。このようにして、前記縮小化手段２４で圧縮された画像データは、上記通信手段２５によって随時、上記外部装置１１に向けて送信される。
【００３４】
尚、上記縮小化手段２４の圧縮率を状況に応じて変更する理由は、前記レリーズ信号、またはリモコン信号を受信するまでは、画像データは事前確認表示用に使用されるものであるため、通信速度が短くなるよう画像データ容量を少なくし、レリーズ信号、またはリモコン信号の受信後は、前記画像データは記憶用となるので、高精細となるよう圧縮率を低く抑えた方が良いという考えに基づくものである。
【００３５】
次に、上記外部装置１１の内部構成と動作について説明すると、図４は、本発明の一実施の形態を示すカメラシステムにおける外部装置の電気回路の構成を示すブロック図である。
【００３６】
図４に示すように、上記外部装置１１は、リモコン操作機能と、画像記憶機能と、画像表示機能とを有するものであり、通信手段３１と、画像制御手段３２と、記憶手段（着脱式）３３と、読出手段３４と、表示手段３５と、表示指示手段３６と、リモコン操作手段３７とから構成されている。上記通信手段３１の入力端には、上記カメラ１の前記通信手段２５（図３参照）と無線通信する上記アンテナ１４が接続され、また、上記リモコン操作手段３７の出力端が接続されており、前記通信手段３１の出力端は、上記画像制御手段３２の入力端に接続され、また、前記画像制御手段３２の出力端は、上記記憶手段３３の入力端、および上記表示手段３５の入力端にそれぞれ接続されており、前記記憶手段３３の出力端、並びに上記表示指示手段３６の出力端は、上記読出手段３４の入力端に接続され、さらに、前記読出手段３４の出力端は、上記表示手段３５の入力端に接続されている。
【００３７】
上記通信手段３１は、前記アンテナ１４を構成要素とし、上記カメラ１から無線送信された画像データを受信して上記画像制御手段３２に出力したり、前記カメラ１の上記通信手段２５（図３参照）に、後述する上記リモコン操作釦１８の押動操作による上記リモコン操作手段３７からのリモコン信号を送信するものである。
【００３８】
上記画像制御手段３２は、前記通信手段３１により受信された画像データを後述する上記記憶手段３３に出力して記憶させる制御を行ったり、前記画像データを後述する上記表示手段３５に出力し、直接表示させるものである。
【００３９】
上記記憶手段３３は、上記カード挿入部１５と、この挿入部１５に着脱自在に装着される上記メモリカード１６（いずれも図２参照）等から構成され、前記画像制御手段３２の制御により、前記画像データを記憶するものである。
【００４０】
上記読出手段３４は、前記記憶手段３３に記憶された前記画像データを、後述する上記表示指示手段３６の指示によって読み出し、上記表示手段３５に出力するものである。
【００４１】
上記表示手段３５は、前記読出手段３４により読み出されて出力された前記画像データ、若しくは前記画像制御手段３２から直接出力された前記画像データを表示するもので、上記表示装置１２に相当するものである（図２参照）。
【００４２】
上記表示指示手段３６は、前記表示手段３５に画像を表示させるための指示信号を入力するものであり、上記操作釦１７に相当するものである（図２参照）。
【００４３】
上記リモコン操作手段３７は、上記リモコン操作釦１８（図２参照）からの押動操作により上記通信手段３１に出力して、上記カメラ１にリモコン信号を送信するものである。
【００４４】
ここで、上記画像制御手段３２は、前記通信手段３１から出力された画像データを上記記憶手段３３に記憶させる動作と、上記表示手段３５に表示させる２種類の動作を切り換え制御しており、この制御の切り換えは、画像データ量によって判断する。つまり、受信された前記画像データ量を、規定した所定値と比較し、所定値以上であれば記憶用画像データと判断し、所定値未満であれば表示用画像であると判断する。
【００４５】
よって、前記記憶用画像データであると判断された場合には、前記画像データは、上記記憶手段３３に送られ記憶される。―方、表示用画像データであると判断された場合には、前記画像データは、上記表示手段３５に送られ、視認可能な状態で表示される。
【００４６】
したがって撮影者が意識しなくとも、この外部装置１１では、送られてきたデータを自動的に、かつ、適切に振り分けることが可能となる。
【００４７】
次に、上記カメラ１の全体的な動作を説明すると、図５は、上記カメラの動作を詳細に説明したフローチャートである。
【００４８】
図５に示すように、上記カメラ１は、図示しない電源スイッチをオンにして初期化が終了すると、ステップＳ１で上記撮像手段２２により撮像動作が実行されステップＳ２に移行し、ステップＳ２では、前記撮像動作で得られた画像データに、上記画像処理手段２３により所定の画像処理を行い、その後、ステップＳ３に移行する。
【００４９】
ステップＳ３では、前記ステップＳ２で画像処理された画像データを上記縮小化手段２４により高圧縮率で圧縮してステップＳ４に移行する。ステップＳ４で、上記通信手段２５により前記高圧縮率で圧縮された画像データを上記外部装置１１に送信し、ステップＳ５に移行する。
【００５０】
続くステップＳ５では、上記レリーズ釦４が押されてレリーズ信号が入力されたか、あるいは上記外部装置１１からのリモコン信号が上記通信手段２５を介して入力されたか否かを判定する。このステップＳ５でレリーズ信号、又はリモコン信号の入力が共に“無し”と判定されると、上記ステップＳ１に戻り、上記ステップＳ１からステップＳ４までの動作が繰り返され、前記撮像動作が繰り返し実行される。一方、上記レリーズ信号又はリモコン信号が“有り”と判定されると、ステップＳ６に移行して、記憶用画像データを取得するための撮像動作が実行される。
【００５１】
ステップＳ６で撮像動作が実行されると、ステップＳ７に移行し、撮像された画像データを高精細な画像データにするため、上記縮小化手段２４により前記画像データを低圧縮率で圧縮してステップＳ８に移行し、ステップＳ８で、上記通信手段２５により、上記外部装置１１に送信する。その後、再びステップＳ１へ戻る。
【００５２】
尚、上記カメラ１は電源オンの状態においては、ステップＳ１〜ステップＳ８までの動作を繰り返している。
【００５３】
次に、上記外部装置１１の全体的な動作を説明すると、図６は、上記外部装置の動作を詳細に説明したフローチャートである。
【００５４】
図６に示すように、ステップＳ９で上記カメラ１から送信された画像データを上記通信手段３１により受信してステップＳ１０に移行し、ステップＳ１０で、上記画像制御手段３２により受信したデータ量が、規定した所定値よりも多いか否かを判定する。ステップＳ１０の判定の結果、所定値よりも多ければ、ステップＳ１１に移行して上記記憶手段３３に記憶し、その後ステップＳ１３に移行する。一方、所定値よりも少なければステップＳ１２に分岐して、上記表示手段３５により画像表示を行い、ステップＳ１３に移行する。
【００５５】
続くステップＳ１３において、上記表示釦１７が押されているか否かを判定し、押されていればステップＳ１４に移行し、表示サブルーチンにて上記記憶手段３３に記憶された画像を上記読出手段３４で読み出し、上記表示手段３５に表示する動作を実行し、ステップＳ１５に移行する。一方、ステップＳ１３で上記表示釦１７が押されていなければ、ステップＳ１５にジャンプする。
【００５６】
次に、ステップＳ１５で、上記リモコン操作釦１８が押されているか否かを判定し、押されていればステップＳ１６に移行して、リモコン信号（レリーズ信号）を上記通信手段３１を介して上記カメラ１に送信し、再びステップＳ９に戻る。一方、上記ステップＳ１５で上記リモコン操作釦１８が押されていなければ、ステップＳ９に戻る処理が行われる。
【００５７】
尚、上記外部装置１１は電源オンの状態においては、ステップＳ９〜ステップＳ１６までの動作を繰り返している。
【００５８】
このように本発明の一実施の形態を示すカメラおよびカメラシステムにおいては、カメラ１に内蔵された縮小化手段２４により、確認用の画像データであれば、高圧縮率設定（データ容量を少なくすることを重視した設定）にて圧縮処理を行い、一方、記憶用の画像データであれば、低圧縮率設定（高精細画像を重視する設定）にて圧縮処理を行い、カメラ側の通信手段２５にて外部装置１１に画像データを送信する機能を有しており、また、前記外部装置１１に内蔵された画像制御手段３２で、前記通信手段２５より送信された画像データの圧縮率により、前記画像データを内蔵された上記記憶手段３３に記憶するか、上記表示手段３５に表示するかを自動的に判定する機能を有しているので、撮影時の画像の構図等を外部装置にて確認する場合には、上記カメラ１と上記外部装置１１の通信時間を短縮することが出来、スムーズな動きの表示画像が確認可能となる。また、記録用の画像データを確認する場合にも、データは圧縮されているため高精細な画像データでありながら通信時間を短縮することが出来る。
【００５９】
また、本発明においては、上記縮小化手段２４で、ＪＰＥＧ圧縮の際の圧縮率を変更することで画像データの量を可変しているが、これに限らず、前記画像データに間引き処理を実施して、縮小化しても良いことは勿論である。この場合、撮像指示信号が入力されるまでは、間引き量を多くすることでデータ量を少なくし、撮像指示信号が入力された後は、間引き量を少なくするようにすれば良い。
【００６０】
さらに、本発明におけるカメラ１は、撮像された画像データを前記カメラ１内に保存することなく外部装置１１に転送するため、前記カメラ１の構成が簡単になるという利点があるが、一方では、通信が失敗した場合には、データが消失してしまうといった問題もある。
【００６１】
したがって、この問題を解消するために図７に示すように、上記カメラ１内に小容量のメモリからなる一時記憶手段２６を配設し、通信が失敗した際には、前記一時記憶手段２６に画像データを一時的に保管するようにしても良い。また、これと共に上記カメラ１内に警告手段２７を内蔵し、通信が失敗した場合には、前記一時記憶手段２６に記憶した後、前記警告手段２７にて警告表示するようにして、撮影者に通信失敗を通知するようにしても良いことは云うまでもない。
【００６２】
また、本発明における外部装置１１は、カメラ本体１から送られた画像データの量に応じてその画像データが記憶用であるか、表示用であるかを判別しているが、カメラ本体１がその画像データの送信時に識別コードを付与し、外部装置がその識別コードを判別していずれの種類の画像データであるかを判別するようにしても良い。
【００６３】
【発明の効果】
以上説明したように本発明によれば、撮影時、外部装置にて、スムーズな動きの表示画像を確認可能でありながら、高精細な画像データを記憶する機能を有するカメラおよびカメラシステムを提供することができる。
【図面の簡単な説明】
【図１】本発明の一実施の形態を示すカメラを背面側の左斜め上方から見た斜視図、
【図２】本発明の一実施の形態を示すカメラシステムにおける外部装置の斜視図、
【図３】図１のカメラの電気回路の構成を示すブロック図、
【図４】図２の外部装置の電気回路の構成を示すブロック図、
【図５】本発明の一実施の形態におけるカメラの動作を説明したフローチャート、
【図６】本発明の一実施の形態のカメラシステムにおける外部装置の動作を説明したフローチャート、
【図７】本発明の一実施の形態を示すカメラに、一時記憶手段、および警告手段を内蔵した電気回路の構成を示すブロック図。
【符号の説明】
１…カメラ
１１…外部装置
２２…撮像手段
２３…画像処理手段
２４…縮小化手段
２５…カメラ側の通信手段
３１…外部装置側の通信手段
３３…記憶手段
３５…表示手段
【図１】
2004007273.tif 000003
【図２】
2004007273.tif 000004
【図３】
2004007273.tif 000005
【図４】
2004007273.tif 000006
【図５】
2004007273.tif 000007
【図６】
2004007273.tif 000008
【図７】
2004007273.tif 000009